(57)【要約】【課題】廃棄する機器の管理を容易とする機器管理ラベルを提供する。【解決手段】廃棄管理を行う機器に貼着され、前記機器の識別が可能な管理情報が表面側に付されるラベル基材からなる機器管理ラベルであって、前記ラベル基材は、前記管理情報が付されて前記ラベル基材から剥離可能な剥離部材を備え、前記剥離部材は、前記機器の廃棄に応じて前記ラベル基材から剥離されることを特徴とする。【選択図】図２
2005241913.tif 000002
【特許請求の範囲】
【請求項１】
廃棄管理を行う機器に貼着され、前記機器の識別が可能な管理情報が表面側に付されるラベル基材からなる機器管理ラベルであって、
前記ラベル基材は、前記管理情報が付されて前記ラベル基材から剥離可能な剥離部材を備え、
前記剥離部材は、前記機器の廃棄に応じて前記ラベル基材から剥離される
ことを特徴とする機器管理ラベル。
【請求項２】
前記剥離部材は、前記管理情報が付されていない裏面に設ける粘着部材によって前記ラベル基材の表面に再剥離可能に粘着されており、
前記剥離部材が粘着される前記ラベル基材の表面側の粘着位置には、前記管理情報が付されている
ことを特徴とする請求項１に記載の機器管理ラベル。
【請求項３】
前記ラベル基材及び前記剥離部材の裏面には貼着部材を設けており、
前記ラベル基材の裏面に設けられた前記貼着部材を覆う剥離自在の基材用台紙と、
前記剥離部材の裏面に設けられた前記貼着部材を覆う剥離自在の剥離部材用台紙と、
をさらに備え、
前記剥離部材は、その裏面が前記剥離部材用台紙によって覆われた状態で前記ラベル基材から剥離される
ことを特徴とする請求項１に記載の機器管理ラベル。
【請求項４】
前記ラベル基材は、プラスチックフィルムで形成しており、
前記剥離部材は、前記ラベル基材の表面に付された前記管理情報を切り取りミシン目で囲むように形成している
ことを特徴とする請求項１に記載の機器管理ラベル。
【請求項５】
測定環境へのガスの漏出を検出したときに警報を行うガス警報器において、
請求項１〜４の何れかに記載の機器管理ラベルが装置本体に貼着され、
前記ガス警報器の廃棄に応じて、前記機器管理ラベルのラベル基材から剥離部材が剥離される
ことを特徴とするガス警報器。
【発明の詳細な説明】
【技術分野】
【０００１】
本発明は、機器管理ラベル及びガス警報器に関し、より詳細には、廃棄管理を行う機器に貼着され、前記機器の識別が可能な管理情報が表面側に付されるラベル基材からなる機器管理ラベル、及び、測定環境へのガスの漏出を検出したときに警報を行うガス警報器に関するものである。
【背景技術】
【０００２】
ガス漏れ警報設備の設置対象の防火対象物は、ＬＰガス法、ガス事業法、消防法及び建築基準法により、特定地下街等（地下街、準地下街）及び特定地下室等とされているが、これら以外にもガス警報器は広く普及設置されており、共同住宅、一般住宅等の住宅への普及にはめざましいものがある。
【０００３】
ガス警報器の期限切れによる事故を防止するために有効期限が設けられ、この有効期限が印刷（表示）された有効期限ラベルがガス警報器に貼付されている。そして、ガス警報器の製造番号とその有効期限は、ガス警報器の設置時に工事担当者等によって台帳などに記入され、ガス販売店等に収集することで、ガス販売店等が一括管理していた。そして、有効期限が近づいたら、ガス販売店等によって新しいガス警報器に交換され、古いガス警報器は廃棄されている。
【０００４】
本出願人は過去に、ガス供給装置を構成するそれぞれの機器の有効期限管理を行う有効期限管理方法を提案してきた。この有効期限管理方法によれば、ガス供給装置を構成する機器に、読み取り装置によって読み取ったそれぞれの機器の有効期限情報を収集させ、この収集された有効期限情報に基づいてそれぞれの機器の有効期限を管理させ、有効期限切れに関する有効期限管理情報を監視装置に転送させることにより、ガス供給装置からの有効期限管理情報を受けたときのみ有効期限切れの機器に対する交換の手配等の処理を可能とし、監視装置における複数のガス供給装置を構成する機器の有効期限の一括管理を不要としてきた。
【特許文献１】特開２０００−８８６２４号公報
【発明の開示】
【発明が解決しようとする課題】
【０００５】
また、近年では、環境問題、廃棄物への関心の高まりに伴って、有効期限が切れたガス警報器が廃棄されたことを管理して証明したいとの要望がある。そのため、廃棄時に廃棄業者等に廃棄するガス警報器の製造番号を書き写すしてもらうことが考えられるが、手間がかかると共に、写し違えが生じてしまうという問題がある。
【０００６】
そこで、ガス警報器の製造番号が印字された製造ラベルを回収する方法も考えられるが、ガス警報器の製造ラベルは、本体に全面糊付のシール材であり、その製造ラベルを剥がそうとするとぼろぼろになってしまうため、製造ラベルを管理に用いることはできなかった。また、プラスチックフィルムを基材とした製造ラベルもあるが、剥がして台帳に貼り付けて管理するには大きすぎるという問題が発生する。
【０００７】
製造ラベルを廃棄したガス警報器から収集して管理することは、その製造ラベルが廃棄されたことの証拠となり、また、有効期限切れのガス警報器の不正利用を防止することができるという点で優れているが、運用が困難であるという問題を有していた。このような問題は、廃棄したことを管理したい機器でも発生するものである。
【０００８】
よって本発明は、上述した問題点に鑑み、廃棄する機器の管理を容易とする機器管理ラベル及びガス警報器を提供することを課題としている。
【課題を解決するための手段】
【０００９】
上記課題を解決するため本発明によりなされた請求項１記載の機器管理ラベルは、廃棄管理を行う機器に貼着され、前記機器の識別が可能な管理情報が表面側に付されるラベル基材からなる機器管理ラベルであって、前記ラベル基材は、前記管理情報が付されて前記ラベル基材から剥離可能な剥離部材を備え、前記剥離部材は、前記機器の廃棄に応じて前記ラベル基材から剥離されることを特徴とする。
【００１０】
上記請求項１に記載した本発明の機器管理ラベルによれば、管理情報が付された剥離部材を備えるラベル基材からなる機器管理ラベルは、廃棄管理を行う機器に貼着され、剥離部材の表面に付された管理情報が表示される。そして、剥離部材は、機器の廃棄に応じてラベル基材から剥離される。
【００１１】
上記課題を解決するためになされた請求項２記載の発明は、請求項１に記載の機器管理ラベルにおいて、前記剥離部材は、前記管理情報が付されていない裏面に設ける粘着部材によって前記ラベル基材の表面に再剥離可能に粘着されており、前記剥離部材が粘着される前記ラベル基材の表面側の粘着位置には、前記管理情報が付されていることを特徴とする。
【００１２】
上記請求項２に記載した本発明の機器管理ラベルによれば、ラベル基材が機器に貼着された状態では、剥離部材に付された管理情報が表示される。そして、剥離部材が機器の廃棄に応じてラベル基材から剥離されると、そのラベル基材の表面側の粘着位置に付されている管理情報が現れ、その管理情報が表示される。
【００１３】
上記課題を解決するためになされた請求項３記載の発明は、請求項１に記載の機器管理ラベルにおいて、前記ラベル基材及び前記剥離部材の裏面には貼着部材を設けており、前記ラベル基材の裏面に設けられた前記貼着部材を覆う剥離自在の基材用台紙と、前記剥離部材の裏面に設けられた前記貼着部材を覆う剥離自在の剥離部材用台紙と、さらに備え、前記剥離部材は、その裏面が前記剥離部材用台紙によって覆われた状態で前記ラベル基材から剥離されることを特徴とする。
【００１４】
上記請求項３に記載した本発明の機器管理ラベルによれば、ラベル基材及び剥離部材の裏面には貼着部材が設けられ、それらを基材用台紙及び剥離部材用台紙によって覆われて機器管理ラベルが生成される。そして、機器管理ラベルを機器に貼着する場合は、基材用台紙のみを剥がした状態でラベル基材を貼着される。そして、剥離部材は、その裏面が剥離部材用台紙によって覆われた状態でラベル基材から剥離され、その剥離部材用台紙が剥がされて剥離部材は機器を管理する台帳、破棄管理用紙等に貼着される。
【００１５】
上記課題を解決するためになされた請求項４記載の発明は、請求項１〜３の何れかに記載の機器管理ラベルにおいて、  前記ラベル基材は、プラスチックフィルムで形成しており、前記剥離部材は、前記ラベル基材の表面に付された前記管理情報を切り取りミシン目で囲むように形成していることを特徴とする。
【００１６】
上記請求項４に記載した本発明の機器管理ラベルによれば、プラスチックフィルムで形成されたラベル基材の表面に管理情報が付されると、その管理情報を切り取りミシン目で囲むように剥離部材が形成される。そして、剥離部材はミシン目に沿って切り取られることでラベル基材から剥離される。
【００１７】
上記課題を解決するため本発明によりなされた請求項５記載のガス警報器は、測定環境へのガスの漏出を検出したときに警報を行うガス警報器において、請求項１〜４の何れかに記載の機器管理ラベルが装置本体に貼着され、前記ガス警報器の廃棄に応じて、前記機器管理ラベルのラベル基材から剥離部材が剥離されることを特徴とする。
【００１８】
上記請求項５に記載した本発明のガス警報器によれば、管理情報が付された剥離部材を備えるラベル基材からなる機器管理ラベルは装置本体に貼着される。そして、有効期限切れに応じてガス警報器が交換若しくは廃棄される際に、機器管理ラベルのラベル基材から剥離部材が剥離される。そして、その剥離部材はガス警報器を販売管理するガス販売店等に回収されて台帳等に貼着されて管理される。
【発明の効果】
【００１９】
以上説明したように請求項１に記載した本発明の機器管理ラベルによれば、機器に対応する管理情報が付された剥離部材を、ラベル基材から剥離可能なように形成し、その剥離部材を機器の廃棄に応じてラベル基材から剥離させるようにしていることから、剥離された剥離部材を回収することで、その剥離部材に付された管理情報から廃棄された機器を識別することができる。従って、ラベル基材から剥離された剥離部材を回収するだけで、廃棄された機器を管理することが可能となり、その剥離部材を廃棄処分の証明としても利用できることから、機器の廃棄管理を容易に行うことができる。
【００２０】
請求項２に記載の発明によれば、請求項１に記載の発明の効果に加え、剥離部材をラベル基材の表面に再剥離可能に粘着されるように形成し、剥離部材が粘着されるラベル基材の表面側の粘着位置に管理情報を付すようにしたことから、剥離部材がラベル基材から剥離された後も、ラベル基材の表面の粘着位置に付した管理情報を認識することができる。従って、剥離部材が剥離されたラベル基材からも管理情報を確認することができるため、剥離部材が誤って剥がされても問題にならず、また、機器を交換する際、機器が廃棄される直前などというように、剥離部材を剥離させるタイミングを様々に設定することができる。
【００２１】
請求項３に記載の発明によれば、請求項１に記載の発明の効果に加え、ラベル基材及び剥離部材の裏面に貼着部材を設け、それらを基材用台紙及び剥離部材用台紙によって覆い、その剥離部材用台紙によって覆われた状態で剥離部材がラベル基材から剥離されるようにしたことから、その剥離部材の裏面に貼着部材が残った状態になるため、回収された剥離部材が多い場合であっても容易に、例えば機器を管理する台帳、破棄管理用紙等に剥離部材を貼着させることができる。
【００２２】
請求項４に記載の発明によれば、請求項１〜３の何れかに記載の発明の効果に加え、ラベル基材をプラスチックフィルムで形成し、その表面に付された管理情報を切り取りミシン目で囲むように剥離部材を形成していることから、機器に貼着するための貼着部材が剥離部材の裏面に付いていても、剥がした際に剥離部材が破けたり、痛んでしまったりすることを防止することができる。また、剥離部材は、管理情報が付されていればよいため、その形状を小さくすることができる。
【００２３】
以上説明したように請求項５に記載した本発明のガス警報器によれば、管理情報が付された剥離部材を備えるラベル基材からなる機器管理ラベルを装置本体に貼着し、有効期限切れに応じてガス警報器が廃棄される際に、機器管理ラベルのラベル基材から剥離部材が剥離されることから、その剥離部材を回収することで、その剥離部材に付された管理情報から廃棄されたガス警報器を識別することができる。従って、有効期限切れのガス警報器から剥離部材を回収することで、その剥離部材から廃棄されたことを確認できると共に、ガス警報器の廃棄処分の証明としても利用することができる。また、交換すべきガス警報器から剥離部材が回収していなければ、交換、廃棄作業の遅れも確認することができるため、交換の促進にも剥離部材を有効に利用することができる。
【発明を実施するための最良の形態】
【００２４】
以下、本発明に係る機器管理ラベルをガス警報器に貼り付ける場合の最良の形態を、図１〜図５の図面を参照して説明する。
【００２５】
ここで、図１は本発明の貼着部材を貼り付けたガス警報器の概観の一例を示す図であり、図２は本発明の機器管理ラベルの第１の最良の形態の一例を示す概観図であり、図３は本発明の機器管理ラベルの第２の最良の形態の一例を示す概観図であり、図４は本発明の機器管理ラベルの第３の最良の形態の一例を示し、（ａ）は概観図、（ｂ）は（ａ）中の矢印Ａ方向から見た機器管理ラベルの裏面、（ｃ）は台紙を剥がした場合の機器管理ラベルの裏面をそれぞれ示した図であり、図５は本発明の機器管理ラベルの第４の最良の形態の一例を示す概観図である。
【００２６】
［第１の最良の形態］
図１において、１はガス警報器を示し、ガス警報器１は、略直方体の箱状に形成されており、測定環境への燃料ガス、可燃ガスの漏出を検出したときに警報を行う。そして、ガス警報器１の正面には、装置内部に被検気体を侵入させる複数のスリットと、ガスの漏出を検出したときに警報を行う警報ランプ等を配置している。そして、ガス警報器１の側面等に、本発明に係る機器管理ラベル１０を貼着している。
【００２７】
機器管理ラベル１０は、ガス警報器１に貼着させる接着剤等の貼着部材を裏面側に設ける一対のラベル紙等からなるラベル基材１１と、各々のラベル基材１１に切り取りミシン目１３を介して連設される剥離部材１２と、を備える。この剥離部材１２の表面には、機器管理ラベル１０が貼着されるガス警報器１（機器に相当）の識別が可能な製造番号（管理情報に相当）、例えば「１５．０９−０００００１」が印刷、押印等によって付されている。そして、その裏面側は、剥離部材１２が剥離し易いように貼着剤等を設けていない。
【００２８】
なお、本最良の形態では、剥離部材１２の表面に、製造番号のみを付した場合について説明するが、本発明はこれに限定するものではなく、製造番号に加え、ガス警報器１の有効期限やガス警報器１の廃棄を管理する上で必要なデータ等を管理情報として付す実施の形態とすることもできる。また、ラベル基材１１の表面には何も付していないが、そこにガス警報器１の注意事項等のデータを付すようにしても差し支えない。
【００２９】
次に、機器管理ラベル１０の製造の一例を以下に説明する。
【００３０】
機器管理ラベル１０は、その外形に応じた形状でラベル部材からラベル基材１１が抽出され、このラベル基材１１に切り取りミシン目１３が形成されることで、剥離部材１２が形成される。そして、ラベル基材１１の裏面に貼着剤を設け、この貼着剤が台紙（図示せず）で覆われ、剥離部材１２の表面に予め定められた製造番号が付される。
【００３１】
上述した機器管理ラベル１０は、その裏面を覆う台紙が剥がされてガス警報器１の側面に貼着される。そして、ガス警報器１の設置時に工事担当者等によって機器管理ラベル１０に付された管理情報の製造番号、有効期限等が台帳などに記入される。その後、ガス警報器１の有効期限切れに伴い、廃棄担当者等によって設置場所から廃棄するガス警報器１が取り外されると、廃棄場へと輸送される。
【００３２】
廃棄場にて廃棄される際に、ガス警報器１の機器管理ラベル１０から、ミシン目１３に沿って剥離部材１２が切り剥がされ、その剥離部材１２はガス販売業者等によって回収される。そして、ガス販売業者等は、その剥離部材１２に付されている製造番号を台帳から検索し、その箇所に剥離部材１２を貼り付けることで、ガス警報器１が廃棄されたことの証明として利用する。
【００３３】
なお、本最良の形態では、ガス警報器１を廃棄する際に機器管理ラベル１０から剥離部材１２を剥がす場合について説明したが、本発明はこれに限定するものではなく、ガス警報器１を設置場所から取り外した時に剥離部材１２を剥がすなど種々異なる実施の形態とすることができる。
【００３４】
以上説明したように、ガス警報器（機器）１に対応する製造番号等の管理情報が付された剥離部材１２を、ラベル基材１１から剥離可能なように形成し、その剥離部材１２をガス警報器１の廃棄に応じてラベル基材１１から剥離させるようにしていることから、剥離された剥離部材１２を回収することで、その剥離部材１２に付された管理情報から廃棄されたガス警報器１を識別することができる。
【００３５】
従って、有効期限切れのガス警報器１から剥離部材１２を回収することで、その剥離部材１２から廃棄されたことを確認できると共に、ガス警報器１の廃棄処分の証明としても利用することができる。また、交換すべきガス警報器１から剥離部材１２が回収していなければ、交換、廃棄作業の遅れも確認することができるため、交換の促進にも剥離部材１２を有効に利用することができる。
【００３６】
［第２の最良の形態］
上述した第１の最良の形態では、切り取りミシン目１３に沿って切り取ることで剥離部材１２をラベル基材１１から剥離させる場合について説明したが、第２の最良の形態では、剥離部材１２をラベル基材１１から剥離させた後も、ラベル基材１１によって管理情報を認識させることができる場合について説明する。なお、上述した第１の最良の形態のところで説明したものと同一あるいは相当する部分には同一符号を付してその詳細な説明は省略する。
【００３７】
機器管理ラベル１０は、その外形に応じた形状にラベル部材で形成したラベル基材１１と、該ラベル基材１１に対してコート紙等の剥離自在のラベル部材でラベル基材１１よりも小さく形成し、ラベル基材１１の表面に粘着される剥離部材１２と、を備える。そして、剥離部材１２の表面、及び、該剥離部材１２が粘着されるラベル基材１１の表面側の粘着位置には、機器管理ラベル１０が貼着されるガス警報器１（機器に相当）の識別が可能な製造番号（管理情報に相当）が、印刷、押印等によって付されている。
【００３８】
次に、機器管理ラベル１０の製造の一例を以下に説明する。
【００３９】
機器管理ラベル１０の外形に応じた形状でラベル部材からラベル基材１１が抽出されると、このラベル基材１１の前記粘着位置に製造番号が付される。また、剥離部材１１がラベル部材から抽出されると、その表面に製造番号が付される。そして、剥離部材１１がラベル基材１１の前記粘着位置に粘着されることで、機器管理ラベル１０が形成される。
【００４０】
ラベル基材１１がガス警報器１に貼着された状態では、剥離部材１２に付された製造番号（管理情報）が表示される。そして、剥離部材１２がガス警報器１の廃棄に応じてラベル基材１１から剥離されると、そのラベル基材１１の表面側の前記粘着位置に付されている製造番号が現れ、その製造番号が表示される。
【００４１】
以上説明したように、剥離部材１２をラベル基材１１の表面に再剥離可能に粘着されるように形成し、剥離部材１２が粘着されるラベル基材１１の表面側の前記粘着位置に製造番号を付すようにしたことから、剥離部材１２がラベル基材１１から剥離された後も、ラベル基材１１の表面の前記粘着位置に付した製造番号を認識することができる。
【００４２】
従って、有効期限切れのガス警報器１から剥離部材１２を回収することで、その剥離部材１２から廃棄されたことを確認できると共に、ガス警報器１の廃棄処分の証明としても利用することができる。また、交換すべきガス警報器１から剥離部材１２が回収していなければ、交換、廃棄作業の遅れも確認することができるため、交換の促進にも剥離部材１２を有効に利用することができる。
【００４３】
さらに、剥離部材１２が剥離されたラベル基材１１からも製造番号を確認することができるため、剥離部材１２が誤って剥がされても問題にならず、また、ガス警報器１を交換する際、ガス警報器１が廃棄される直前などというように、剥離部材１２を剥離させるタイミングを様々に設定することができる。
【００４４】
［第３の最良の形態］
第３の最良の形態では、剥離部材１２の裏面側に貼着部材を設け、この貼着部材を台紙で覆った状態でラベル基材１１から剥離させることができる場合について、図４の図面を参照して以下に説明する。尚、上述した第１及び第２の最良の形態のところで説明したものと同一あるいは相当する部分には同一符号を付してその詳細な説明は省略する。
【００４５】
機器管理ラベル１０は、上述した第１の最良の形態で説明したように、一対のラベル基材１１に切り取りミシン目１３を介して、表面に製造番号（管理情報）が付された剥離部材１２を連設させることで形成している。そして、ラベル基材１１及び剥離部材１２の裏面には、接着剤等の貼着部材１４を設けている。なお、ラベル基材１１に永久粘着、剥離部材１２に再剥離可能な貼着部材１４というように、異なる貼着部材１４を用いることもできる。
【００４６】
機器管理ラベル１０はさらに、ラベル基材１１の裏面に設けられた貼着部材１４を覆う剥離自在の基材用台紙１５ａと、剥離部材１２の裏面に設けられた貼着部材１４を覆う剥離自在の剥離部材用台紙１５ｂと、を備える。
【００４７】
図４（ａ）及び（ｂ）に示すように、基材用台紙１５ａは、機器管理ラベル１０の長手方向の長さと同一に形成し、長手方向に直交する幅方向が対応するラベル基材１１よりも大きくなるように形成している。また、剥離部材用台紙１５ｂは、剥離部材１２の外形と同一となるように形成している。
【００４８】
基材用台紙１５ａと剥離部材用台紙１５ｂは、スリッター加工によってシート上に加工しており、各々が分離可能となっている。なお、分離し易くするために、基材用台紙１５ａと剥離部材用台紙１５ｂとの間には切り取りミシン目を形成することもできる。
【００４９】
次に、機器管理ラベル１０の製造の一例を以下に説明する。
【００５０】
機器管理ラベル１０は、その外形に応じた形状でラベル部材からラベル基材１１が抽出され、このラベル基材１１に切り取りミシン目１３が形成されることで、剥離部材１２が形成される。そして、ラベル基材１１及び剥離部材１２の裏面に貼着部材１４を設け、この貼着部材１４が基材用台紙１５ａ及び剥離部材用台紙１５ｂによって覆われる。そして、剥離部材１２の表面に予め定められた製造番号が付される。
【００５１】
上述した機器管理ラベル１０は、図４（ｃ）に示すように、基材用台紙１５ａがそれぞれラベル基材１１から剥がされ、図１に示すようにガス警報器１の側面に貼着される。その後、ガス警報器１の有効期限切れに伴って廃棄される際に、剥離部材１２は、その裏面が剥離部材用台紙１５ｂによって覆われた状態でラベル基材１１から剥離されてガス販売業者等に回収される。そして、ガス販売業者等は、剥離部材１２に付されている製造番号を台帳から検索し、その箇所に剥離部材１２を貼り付ける際に、その剥離部材用台紙１５ｂが剥離部材１２から剥がされ、その裏面の貼着部材１４によって台帳に貼着される。
【００５２】
以上説明したように、ガス警報器（機器）１に対応する製造番号等の管理情報が付された剥離部材１２を、ラベル基材１１から剥離可能なように形成し、その剥離部材１２をガス警報器１の廃棄に応じてラベル基材１１から剥離させるようにしていることから、剥離された剥離部材１２を回収することで、その剥離部材１２に付された管理情報から廃棄されたガス警報器１を識別することができる。
【００５３】
従って、有効期限切れのガス警報器１から剥離部材１２を回収することで、その剥離部材１２から廃棄されたことを確認できると共に、ガス警報器１の廃棄処分の証明としても利用することができる。また、交換すべきガス警報器１から剥離部材１２が回収していなければ、交換、廃棄作業の遅れも確認することができるため、交換の促進にも剥離部材１２を有効に利用することができる。
【００５４】
さらに、ラベル基材１１及び剥離部材１２の裏面に貼着部材１４を設け、それらを基材用台紙１５ａ及び剥離部材用台紙１５ｂによって覆い、その剥離部材用台紙１５ｂによって覆われた状態で剥離部材１２がラベル基材１２から剥離されるようにしたことから、その剥離部材１２の裏面に貼着部材１４が残った状態になるため、回収された剥離部材１２が多い場合であっても容易にガス警報器１を管理する台帳に剥離部材１２を貼着して管理することができる。
【００５５】
［第４の最良の形態］
第４の最良の形態では、機器管理ラベル１０をプラスチックフィルムで形成する場合について、図５の図面を参照して以下に説明する。なお、上述した第１〜３の最良の形態のところで説明したものと同一あるいは相当する部分には同一符号を付してその詳細な説明は省略する。
【００５６】
機器管理ラベル１０は、上述した第１の最良の形態で説明したように、一対のラベル基材１１に切り取りミシン目１３を介して、表面に製造番号（管理情報）が付された剥離部材１２を連設させるように、プラスチックフィルムで形成している。そして、ラベル基材１１の裏面側には、上述した貼着部材１４を設けている。
【００５７】
剥離部材１１は、ラベル基材１１から剥離させる際の剥離開始位置を示す剥離開始部１２ａを備える。なお、本最良の形態では、剥離開始部１２ａを、機器管理ラベル１０の側辺から突出するように形成しているが、本発明はこれに限定するものではなく、機器管理ラベル１０の両側の側辺から突出させたり、側辺を凹状とするなど種々異なる実施の形態とすることができる。
【００５８】
次に、機器管理ラベル１０の製造の一例を以下に説明する。
【００５９】
機器管理ラベル１０は、その外形に応じた形状にプラスチックフィルムでラベル基材１１が形成される。そして、製造番号が付されるラベル基材１１の表面領域を囲むように、切り取りミシン目１３が形成されることで、剥離部材１２が形成される。そして、ラベル基材１１の裏面に貼着部材１４を設け、この貼着部材１４が剥離自在の台紙によって覆われ、剥離部材１２の表面に予め定められた製造番号が付される。
【００６０】
上述した機器管理ラベル１０は、その裏面から台紙が剥がされ、図１に示すようにガス警報器１の側面に貼着される。その後、ガス警報器１の有効期限切れに伴って廃棄される際に、剥離部材１２は、剥離開始部１２ａから切り取りミシン目１３に沿って切り取られることで、ラベル基材１１から剥離され、ガス販売業者等に回収される。そして、ガス販売業者等は、剥離部材１２に付されている製造番号を台帳から検索し、その箇所に剥離部材１２の裏面に貼着部材を設けて貼着される。
【００６１】
以上説明したように、ガス警報器（機器）１に対応する製造番号等の管理情報が付された剥離部材１２を、ラベル基材１１から剥離可能なように形成し、その剥離部材１２をガス警報器１の廃棄に応じてラベル基材１１から剥離させるようにしていることから、剥離された剥離部材１２を回収することで、その剥離部材１２に付された管理情報から廃棄されたガス警報器１を識別することができる。
【００６２】
従って、有効期限切れのガス警報器１から剥離部材１２を回収することで、その剥離部材１２から廃棄されたことを確認できると共に、ガス警報器１の廃棄処分の証明としても利用することができる。また、交換すべきガス警報器１から剥離部材１２が回収していなければ、交換、廃棄作業の遅れも確認することができるため、交換の促進にも剥離部材１２を有効に利用することができる。
【００６３】
さらに、ラベル基材１１をプラスチックフィルムで形成し、その表面に付された製造番号（管理情報）を切り取りミシン目１３で囲むように剥離部材１２を形成していることから、ガス警報器１に貼着するための前記貼着部材１４が剥離部材１２の裏面に付いていても、剥がした際に剥離部材１２が破けたり、痛んでしまったりすることを防止することができる。また、剥離部材は、管理情報が付されていればよいため、その形状を小さくすることができる。
【００６４】
なお、上述した第１〜４の最良の形態では、剥離部材１２の表面に、管理情報を示す数字、文字等を付す場合について説明したが、例えば、管理情報をバーコードで示したり、上述した管理情報にバーコードを追加したりすることで、ガス警報器１の廃棄に応じて回収した剥離部材１２から管理情報を容易にパーソナル・コンピュータに取り込むことができるため、廃棄管理の電子化を図ることができる。
【００６５】
また、上述した第１〜４の最良の形態では、本発明の機器管理ラベル１０をガス警報器１に貼着する場合について説明したが、本発明はこれに限定するものではなく、例えば、ガスメータ、火災警報器等の廃棄管理を行う他の機器に貼着させても、上述した効果を得ることができる。
【図面の簡単な説明】
【００６６】
【図１】本発明の貼着部材を貼り付けたガス警報器の概観の一例を示す図である。
【図２】本発明の機器管理ラベルの第１の最良の形態の一例を示す概観図である。
【図３】本発明の機器管理ラベルの第２の最良の形態の一例を示す概観図である。
【図４】本発明の機器管理ラベルの第３の最良の形態の一例を示し、（ａ）は概観図、（ｂ）は（ａ）中の矢印Ａ方向から見た機器管理ラベルの裏面、（ｃ）は台紙を剥がした場合の機器管理ラベルの裏面をそれぞれ示した図である。
【図５】本発明の機器管理ラベルの第４の最良の形態の一例を示す概観図である。
【符号の説明】
【００６７】
１    ガス警報器
１０    機器管理ラベル
１１    ラベル基材
１２    剥離部材
１３    切り取りミシン目
１４    貼着部材
１５ａ    基材用台紙
１５ｂ    剥離部材用台紙
【図１】
2005241913.tif 000003
【図２】
2005241913.tif 000004
【図３】
2005241913.tif 000005
【図４】
2005241913.tif 000006
【図５】
2005241913.tif 000007